(57)【特許請求の範囲】
【請求項１】
放送される番組を受信する受信手段と、
記録しようとする番組を予約する予約手段と、
前記予約された番組が一回のみ放送される番組かあるいは複数回放送される番組かを判定する判定手段と、
前記予約された番組を記録するために前記受信手段が利用可能な時間帯を検出する検出手段と、
前記判定結果に基づき、予約された番組が複数回放送される番組である場合、前記受信手段が利用可能な時間帯に、前記予約された番組を複数回にわけて受信して記録媒体に記録する記録手段とを備えたことを特徴とする記録装置。
【請求項２】
前記受信手段は、放送局から送られてくる電子番組情報をも受信し、
前記判定手段は、前記電子番組情報から前記記録しようとする番組が一回のみ放送される番組かあるいは複数回放送される番組かを判定することを特徴とする請求項１記載の記録装置。
【請求項３】
前記記録手段は、複数回にわけて記録された番組の各部分を結合して一つの番組として再構成することを特徴とする請求項１または２記載の記録装置。
【請求項４】
前記記録手段は、番組を複数回にわけて記録媒体に記録する際に、一つの番組として再構成を行なうために必要となる情報をも前記記録媒体に記録することを特徴とする請求項３記載の記録装置。
【請求項５】
前記一つの番組として再構成を行うために必要となる情報とは、複数回にわけて記録した番組の部分の再生順序、時刻情報、または番組開始時刻からのオフセット情報であることを特徴とする請求項４記載の記録装置。
【請求項６】
前記記録手段が一回だけ放送される番組を記録している時間帯は、前記受信手段が利用可能な時間帯ではないことを特徴とする請求項１〜５のいずれかに記載の記録装置。
【請求項７】
前記受信手段がスタンバイしている時間帯は、前記受信手段が利用可能な時間帯であることを特徴とする請求項１〜６のいずれかに記載の記録装置。
【請求項８】
前記複数回放送される番組を記録すべき時間帯に、すでにユーザが前記複数回放送される番組とは別の番組を視聴している時、記録すべき前記番組と前記ユーザが視聴している番組とが同一トランスポンダに含まれる番組である場合、前記記録手段は前記記録すべき番組の記録と前記ユーザが視聴している番組の視聴を並行して行うことを特徴とする請求項１〜７のいずれかに記載の記録装置。
【請求項９】
前記複数回放送される番組を記録すべき時間帯に、すでにユーザが前記複数回放送される番組とは別の番組を視聴している時、記録すべき前記番組と前記ユーザが視聴している番組とが同一トランスポンダに含まれない番組である場合、前記記録手段は、前記ユーザに警告を出し、前記ユーザが視聴している番組の視聴を優先することを特徴とする請求項１〜８のいずれかに記載の記録装置。
【請求項１０】
前記一回のみ放送される番組を記録すべき時間帯に、すでにユーザが前記一回のみ放送される番組とは別の番組を視聴している時、記録すべき前記番組と前記ユーザが視聴している番組とが同一トランスポンダに含まれない番組である場合、前記記録手段は、前記ユーザに警告を出し、前記一回のみ放送される番組の記録を優先することを特徴とする請求項１〜９のいずれかに記載の記録装置。
【請求項１１】
番組を記録している最中に、ユーザが前記記録している番組とは別の番組を視聴しようとした時、前記記録している番組と前記ユーザが視聴しようとしている番組とが同一トランスポンダに含まれる番組である場合には、前記記録手段は、前記記録している番組と前記視聴しようとしている番組の視聴を並行して行うことを特徴とする請求項１〜１０のいずれかに記載の記録装置。
【請求項１２】
番組を記録している最中に、ユーザが前記記録している番組とは別の番組を視聴しようとした時、前記記録している番組と前記ユーザが視聴しようとしている番組とが同一トランスポンダに含まれない番組であり、かつ前記記録している番組が一回のみ放送される番組である場合には、前記記録手段は、前記ユーザに警告を出し、前記記録している番組の記録を優先することを特徴とする請求項１〜１１のいずれかに記載の記録装置。
【請求項１３】
番組を記録している最中に、ユーザが前記記録している番組とは別の番組を視聴しようとした時、前記記録している番組と前記ユーザが視聴しようとしている番組とが同一トランスポンダに含まれない番組であり、かつ前記記録している番組が複数回放送される番組である場合には、前記記録手段は、前記ユーザに警告を出し、前記ユーザが視聴しようとしている番組の視聴を優先することを特徴とする請求項１〜１２のいずれかに記載の記録装置。
【請求項１４】
予約なしで番組を記録している最中に、一回のみ放送される番組の記録開始時刻になった時、前記記録手段は、前記一回のみ放送される番組の記録を優先することを特徴とする請求項１〜１３のいずれかに記載の記録装置。
【請求項１５】
予約なしで番組を記録している最中に、複数回放送される番組の記録開始時刻になった時、前記記録手段は、前記予約なしの番組の記録を優先することを特徴とする請求項１〜１４のいずれかに記載の記録装置。
【請求項１６】
予約なしで番組を記録している最中に、前記予約なしの番組とは別の番組の記録開始時刻になった時、前記予約なしで記録している番組と前記記録開始時刻になった番組が同じトランスポンダに含まれる場合、前記記録手段は、前記予約なしの番組の記録と、前記記録開始時刻になった番組の記録を並行して行うことを特徴とする請求項１〜１５のいずれかに記載の記録装置。
【請求項１７】
前記記録手段が複数回放送されている番組を記録している最中に前記記録媒体の空きがなくなった場合、前記記録手段は、前記記録媒体に空きがでるまで記録を中断し、前記記録媒体に空きが出たら中断した記録を継続することを特徴とする請求項１〜１６のいずれかに記載の記録装置。
【請求項１８】
前記予約手段は、記録しようとする番組が複数回放送される番組である場合、前記記録媒体の空きが前記記録しようとする番組を記録するのに不足していても、前記記録しようとする番組の予約を受け付けることを特徴とする請求項１〜１７のいずれかに記載の記録装置。
【請求項１９】
前記記録媒体に複数回放送される番組が記録されている場合、一回のみ放送される番組の記録のための前記記録媒体の空き領域が不足したら、前記記録手段は、前記記録媒体における、前記複数回放送される番組が記録されている領域を空き領域とみなし、前記一回のみ放送される番組を記録することを特徴とする請求項１〜１８のいずれかに記載の記録装置。
【請求項２０】
請求項１〜１９のいずれかに記載の記録装置の記録手段が複数回にわけて記録した番組を再生する際、その番組の複数回にわけた各部分を番組の時系列に従って順次一つの番組として連続再生する再生手段を備えたことを特徴とする再生装置。
【請求項２１】
前記記録手段は、番組を複数回にわけて記録媒体に記録する際に、一つの番組として連続再生を行なうために必要となる情報をも記録媒体に記録し、前記再生手段は、その情報を利用して複数回にわけて記録した番組を再生することを特徴とする請求項２０記載の再生装置。
【請求項２２】
前記一つの番組として連続再生を行うために必要となる情報とは、複数回にわけて記録した番組の部分の再生順序、時刻情報または番組開始時からのオフセット情報であることを特徴とする請求項２１記載の再生装置。
【発明の詳細な説明】
【０００１】
【発明の属する技術分野】
本発明は、予約した番組を記録し、記録した番組を再生する記録装置、再生装置に関するものである。
【０００２】
【従来の技術】
ディジタル放送によって、番組を放送するチャンネルは多チャンネル化し、放送形態も多様化してきた。多チャンネル化したため、一回のみ決まった時間帯に放送される番組に加えて、ＮＶＯＤ（Ｎｅａｒ  Ｖｉｄｅｏ  Ｏｎ  Ｄｅｍａｎｄ、疑似ビデオ・オン・デマンド）などのサービスも行われるようになった。ＮＶＯＤは同一番組を例えば３０分毎に数チャンネルの上で時間をずらせてスタートさせ、いつでも最初から番組を見ることが出来るようにしたものである。
【０００３】
このようにして放送される番組を記録媒体に記録する従来の記録装置について図１２を参照して説明する。図１２は記録するために予約した番組の放送時間帯とチャンネルを示すものである。
【０００４】
すなわち、番組の放送に先だって、記録装置は、番組Ａ、Ｂ、Ｃ、Ｄを記録媒体に記録するために予め予約する。予約動作は、番組Ａ、Ｂ、Ｃ、Ｄが放送される時間帯とチャンネルを記録装置に入力するとともに、リモコンから予約コマンドを入力することによって行うことが出来る。
【０００５】
番組が放送される時間帯とチャンネルは、図１２の通りであり、予約動作によってこれらの時間帯とチャンネルが設定されたとする。すなわち番組Ａは、チャンネル１で放送され、ＮＶＯＤであり、繰り返し放送される。番組Ｂはチャンネル２で７時００分から８時００分までの時間帯に放送される。番組Ｃはチャンネル２で８時３０分から９時３０分までの時間帯に放送される。番組Ｄはチャンネル２で１０時００分から１１時００分までの時間帯に放送される。さらに。チャンネル１とチャンネル２は別トランスポンダーに属しているとする。すなわちチャンネル１の番組とチャンネル２の番組を同時に記録することはできない。
【０００６】
７時００分になると、番組Ｂの放送が開始されるので、記録装置はチャンネル２を記録する。そして８時００分でチャンネル２の記録を終了する。この時点で番組Ａはすでに放送が開始されているので、番組Ａは記録しない。８時３０分になると番組Ｃの放送が開始されるので、記録装置は再びチャンネル２を記録する。そして９時３０分でチャンネル２の記録を終了する。この時点で番組Ａはすでに放送中である。また次の回の番組Ａを記録すれば、番組Ｄが記録出来なくなるので、番組Ａは記録しない。１０時００分になると番組Ｄの放送が開始されるので、記録装置はチャンネル２を記録する。そして１１時００分でチャンネル２の記録を終了する。最後に１１時４５分になると、番組Ａの放送が開始されるので、記録装置はチャンネル１を記録する。そして１２時４５分でチャンネル１の記録を終了する。
【０００７】
このように従来の記録装置は同時に記録出来ない番組については、一つの番組の記録が完了してから次の番組の記録を行う。すなわち番組を一つづつ記録する。
【０００８】
また、従来の記録装置は、記録装置の記録媒体の空き領域が少ない場合に、別の番組を記録するためには、記録済みの番組を記録媒体から消去して、記録媒体の記録領域を確保してから別の番組を記録する。あるいは、記録装置の記録媒体の空き領域が少ない場合には、新たに別の番組を記録しないようにしている。
【０００９】
【発明が解決しようとする課題】
しかし、従来の記録装置が番組を記録するよりも、もっと早く番組の録画を完了したいという要求がある。具体的には、従来の記録装置は、７時００分に記録を開始して、終了するのが１２時４５分である。すなわち記録が完了するまでに５時間４５分を要している。この５時間４５分をさらに短縮したいという要求がある。つまり放送される番組を記録する際、記録に要する時間を短縮出来ないという課題がある。
【００１０】
また、一つの番組全部を記録している間は他のチャンネルを視聴したくても記録が完了するまで視聴できない。記録を中断すると記録していた番組全部を記録するために再度はじめから記録をし直さなければならない。すなわち、番組を時間を区切って記録することが出来ないという課題がある。
【００１１】
また、記録装置の記録媒体の空き領域が少ない場合に、別の番組を記録するためには、記録済みの番組を記録媒体から消去するので、記録済みの番組が失われてしまう。また、記録媒体の番組を消去しないようにすれば、新たに別の番組を記録することが出来なくなる。
【００１２】
本発明は、放送される番組を記録する際、記録に要する時間を短縮出来ないという課題を考慮し、放送される番組を記録する際、より早く記録を完了することが出来る記録装置、再生装置を提供することを目的とするものである。
【００１３】
また、本発明は、番組を時間を区切って記録することが出来ないという課題を考慮し、繰り返し放送される番組を別々の時間帯に分割して記録しても番組全部が記録出来る記録装置、再生装置を提供することを目的とするものである。
【００１４】
また、本発明は、記録装置の記録媒体の空き領域が少ない場合に、別の番組を記録するためには、記録済みの番組を記録媒体から消去するので、記録済みの番組が失われてしまい、逆に記録媒体の番組を消去しないようにすれば、新たに別の番組を記録することが出来ないという課題を考慮し、記録装置の記録媒体の空き領域が少ない場合でも、記録済みの番組のデータを失うことなく、別の番組を記録出来る記録装置、再生装置を提供することを目的とするものである。
【００１５】
上述した課題を解決するために、第１の本発明は、放送される番組を受信する受信手段と、
記録しようとする番組を予約する予約手段と、
前記予約された番組が一回のみ放送される番組かあるいは複数回放送される番組かを判定する判定手段と、
前記予約された番組を記録するために前記受信手段が利用可能な時間帯を検出する検出手段と、
前記判定結果に基づき、予約された番組が複数回放送される番組である場合、前記受信手段が利用可能な時間帯に、前記予約された番組を複数回にわけて受信して記録媒体に記録する記録手段とを備えたことを特徴とする記録装置である。
また、第２の本発明は、前記受信手段は、放送局から送られてくる電子番組情報をも受信し、
前記判定手段は、前記電子番組情報から前記記録しようとする番組が一回のみ放送される番組かあるいは複数回放送される番組かを判定することを特徴とする第１の本発明の記録装置である。
また、第３の本発明は、前記記録手段は、複数回にわけて記録された番組の各部分を結合して一つの番組として再構成することを特徴とする第１または２の本発明の記録装置である。
また、第４の本発明は、前記記録手段は、番組を複数回にわけて記録媒体に記録する際に、一つの番組として再構成を行なうために必要となる情報をも前記記録媒体に記録することを特徴とする第３の本発明の記録装置である。
また、第５の本発明は、前記一つの番組として再構成を行うために必要となる情報とは、複数回にわけて記録した番組の部分の再生順序、時刻情報、または番組開始時刻からのオフセット情報であることを特徴とする第４の本発明の記録装置である。
また、第６の本発明は、前記記録手段が一回だけ放送される番組を記録している時間帯は、前記受信手段が利用可能な時間帯ではないことを特徴とする第１〜５の本発明のいずれかの記録装置である。
また、第７の本発明は、前記受信手段がスタンバイしている時間帯は、前記受信手段が利用可能な時間帯であることを特徴とする第１〜６の本発明のいずれかの記録装置である。
また、第８の本発明は、前記複数回放送される番組を記録すべき時間帯に、すでにユーザが前記複数回放送される番組とは別の番組を視聴している時、記録すべき前記番組と前記ユーザが視聴している番組とが同一トランスポンダに含まれる番組である場合、前記記録手段は前記記録すべき番組の記録と前記ユーザが視聴している番組の視聴を並行して行うことを特徴とする第１〜７の本発明のいずれかの記録装置である。
また、第９の本発明は、前記複数回放送される番組を記録すべき時間帯に、すでにユーザが前記複数回放送される番組とは別の番組を視聴している時、記録すべき前記番組と前記ユーザが視聴している番組とが同一トランスポンダに含まれない番組である場合、前記記録手段は、前記ユーザに警告を出し、前記ユーザが視聴している番組の視聴を優先することを特徴とする第１〜８の本発明のいずれかの記録装置である。
また、第１０の本発明は、前記一回のみ放送される番組を記録すべき時間帯に、すでにユーザが前記一回のみ放送される番組とは別の番組を視聴している時、記録すべき前記番組と前記ユーザが視聴している番組とが同一トランスポンダに含まれない番組である場合、前記記録手段は、前記ユーザに警告を出し、前記一回のみ放送される番組の記録を優先することを特徴とする第１〜９の本発明のいずれかの記録装置である。
また、第１１の本発明は、番組を記録している最中に、ユーザが前記記録している番組とは別の番組を視聴しようとした時、前記記録している番組と前記ユーザが視聴しようとしている番組とが同一トランスポンダに含まれる番組である場合には、前記記録手段は、前記記録している番組と前記視聴しようとしている番組の視聴を並行して行うことを特徴とする第１〜１０の本発明のいずれかの記録装置である。
また、第１２の本発明は、番組を記録している最中に、ユーザが前記記録している番組とは別の番組を視聴しようとした時、前記記録している番組と前記ユーザが視聴しようとしている番組とが同一トランスポンダに含まれない番組であり、かつ前記記録している番組が一回のみ放送される番組である場合には、前記記録手段は、前記ユーザに警告を出し、前記記録している番組の記録を優先することを特徴とする第１〜１１の本発明のいずれかの記録装置である。
また、第１３の本発明は、番組を記録している最中に、ユーザが前記記録している番組とは別の番組を視聴しようとした時、前記記録している番組と前記ユーザが視聴しようとしている番組とが同一トランスポンダに含まれない番組であり、かつ前記記録している番組が複数回放送される番組である場合には、前記記録手段は、前記ユーザに警告を出し、前記ユーザが視聴しようとしている番組の視聴を優先することを特徴とする第１〜１２の本発明のいずれかの記録装置である。
また、第１４の本発明は、予約なしで番組を記録している最中に、一回のみ放送される番組の記録開始時刻になった時、前記記録手段は、前記一回のみ放送される番組の記録を優先することを特徴とする第１〜１３の本発明のいずれかの記録装置である。
また、第１５の本発明は、予約なしで番組を記録している最中に、複数回放送される番組の記録開始時刻になった時、前記記録手段は、前記予約なしの番組の記録を優先することを特徴とする第１〜１４の本発明のいずれかの記録装置である。
また、第１６の本発明は、予約なしで番組を記録している最中に、前記予約なしの番組とは別の番組の記録開始時刻になった時、前記予約なしで記録している番組と前記記録開始時刻になった番組が同じトランスポンダに含まれる場合、前記記録手段は、前記予約なしの番組の記録と、前記記録開始時刻になった番組の記録を並行して行うことを特徴とする第１〜１５の本発明のいずれかの記録装置である。
また、第１７の本発明は、前記記録手段が複数回放送されている番組を記録している最中に前記記録媒体の空きがなくなった場合、前記記録手段は、前記記録媒体に空きがでるまで記録を中断し、前記記録媒体に空きが出たら中断した記録を継続することを特徴とする第１〜１６の本発明のいずれかの記録装置である。
また、第１８の本発明は、前記予約手段は、記録しようとする番組が複数回放送される番組である場合、前記記録媒体の空きが前記記録しようとする番組を記録するのに不足していても、前記記録しようとする番組の予約を受け付けることを特徴とする第１〜１７の本発明のいずれかの記録装置である。
また、第１９の本発明は、前記記録媒体に複数回放送される番組が記録されている場合、一回のみ放送される番組の記録のための前記記録媒体の空き領域が不足したら、前記記録手段は、前記記録媒体における、前記複数回放送される番組が記録されている領域を空き領域とみなし、前記一回のみ放送される番組を記録することを特徴とする第１〜１８の本発明のいずれかの記録装置である。
また、第２０の本発明は、第１〜１９の本発明のいずれかの記録装置の記録手段が複数回にわけて記録した番組を再生する際、その番組の複数回にわけた各部分を番組の時系列に従って順次一つの番組として連続再生する再生手段を備えたことを特徴とする再生装置である。
また、第２１の本発明は、前記記録手段は、番組を複数回にわけて記録媒体に記録する際に、一つの番組として連続再生を行なうために必要となる情報をも記録媒体に記録し、前記再生手段は、その情報を利用して複数回にわけて記録した番組を再生することを特徴とする第２０の本発明の再生装置である。
また、第２２の本発明は、前記一つの番組として連続再生を行うために必要となる情報とは、複数回にわけて記録した番組の部分の再生順序、時刻情報または番組開始時からのオフセット情報であることを特徴とする第２１の本発明の再生装置である。
【００２６】
【発明の実施の形態】
以下に、本発明の実施の形態について図面を参照して説明する。
【００２７】
（第１の実施の形態）
まず、第１の実施の形態について説明する。
【００２８】
図１に本実施の形態の記録装置のブロック図を示す。
【００２９】
記録装置１は、受信・復調手段２、デマルチプレクサ３、ＨＤＤ４、ＥＰＧ抽出手段５、ユーザ選局手段（リモコン／ボタン）６、予約入力手段７、予約テーブル８、録画スケジュール手段９、記録判断部１０、記録済み情報テーブル１１、ＧＵＩ／ＯＳＤ１２から構成される。
【００３０】
受信・復調手段２は、電波を受信し、受信した電波を復調する手段である。デマルチプレクサ３は、ＭＰＥＧ２トランスポートストリーム（以下ＭＰＥＧ２ーＴＳと記す）として多重化されているデータを分離する手段である。ＨＤＤ４は、ハードディスクであり、番組のデータを記録する手段である。ＥＰＧ抽出手段５は、受信・復調手段で復調されたデータからＥＰＧ情報を抽出する手段である。ユーザ選局手段６は、リモコンやボタンであり、ユーザが受信・復調手段２、デマルチプレクサ３、ＨＤＤ４を操作する手段である。予約入力手段７は、記録したい番組を予約する手段である。予約テーブル８は、予約入力手段７で予約された番組の一覧表である。録画スケジュール手段９は、予約テーブル８とユーザ選局手段６の操作に基づき、ＥＰＧ情報を参照して録画スケジュールを作成する手段である。記録判断部１０は、録画スケジュール手段９で作成された録画スケジュールに従って、受信・復調手段２、デマルチプレクサ３、ＨＤＤ４を制御し、記録済み情報テーブル１１を作成・更新する手段である。記録済み情報テーブル１１は、ＨＤＤ４にどのようなデータが記録されているかを示すテーブルである。ＧＵＩ／ＯＳＤ１２は、ＨＤＤ４に記録済みの番組を表示する手段である。
【００３１】
次にこのような本実施の形態の動作を説明する。
【００３２】
まず予約入力手段７で、記録したい番組を入力する。記録したい番組を指定する方法は、例えばモニタに表示されている番組一覧をリモコンなどで選択することによって行うことが出来る。予約入力手段７で、記録したい番組として、番組Ａ、Ｂ、Ｃ、Ｄが選択されたとする。すると予約入力手段７は、予約テーブル８を作成する。図２にこのようにして作成された予約テーブル８を示す。予約テーブル８で番組を一意に特定するための識別子として番組ＩＤを用いる。すなわち図２の予約テーブル８で、例えば番組Ａの欄には、番組Ａの番組ＩＤが記述される。
【００３３】
次に、録画スケジュール手段９は、ＥＰＧ抽出手段５で抽出されたＥＰＧ（電子番組ガイド）情報をもとに録画スケジュールを作成する。ＥＰＧ情報は、ディジタル放送の場合は、ＭＰＥＧ２ーＴＳ中のＳＩ（Ｓｅｒｖｉｃｅ  Ｉｎｆｏｒｍａｔｉｏｎ）情報に組み込まれて送られてくる。このＥＰＧ情報は、テレビ番組の放送予定のデータであり、番組の放送予定日、時間帯、チャンネル、番組名、出演者、番組に関する詳細情報等が各番組毎に記載されている。なお、本実施の形態のＥＰＧ情報は本発明の電子番組情報の例である。このようなＥＰＧ情報に基づいて、録画スケジュール手段９は、図３の録画スケジュール１３のような録画スケジュールを作成する。
【００３４】
図３の録画スケジュール１３で、番組ＡはＮＶＯＤであり、チャンネル１で繰り返し放送されている。番組Ｂ、Ｃ、Ｄは一回のみ放送される番組であり、チャンネル２で放送される。そして、チャンネル１とチャンネル２は別のトランスポンダに属しているとする。従って、チャンネル１の番組とチャンネル２の番組を同時に記録することは出来ない。
【００３５】
図４は、録画スケジュール１３と番組Ａ、Ｂ、Ｃ、Ｄの放送予定とを時間の流れに従って説明したものである。図４と図３を用いて録画スケジュール１３の意味を説明する。録画スケジュール１３は、７時００分から８時００分までの時間帯はチャンネル２を録画することを示している。そしてこれは番組Ｂの録画であることを示している。次に８時００分から８時３０分までの時間帯はチャンネル１を録画することを示している。そしてこれは図４に示すように番組名Ａの一部分であるＡ２の録画であることを示している。８時３０分から９時３０分までの時間帯はチャンネル２を録画することを示している。そしてこれは番組Ｃの録画であることを示している。９時３０分から９時４５分までの時間帯はチャンネル１を録画することを示している。そしてこれは図４に示すように番組Ａの一部分であるＡ３の録画であることを示している。９時４５分から１０時００分までの時間帯はチャンネル１を録画することを示している。そしてこれは図４に示すように番組Ａの一部分であるＡ１の録画であることを示している。１０時００分から１１時００分までの時間帯はチャンネル２の録画であることを示している。そしてこれは番組Ｄの録画であることを示している。図３の分割録画の欄には０または１が記載されている。０が記載されているものは、一回の録画で番組全部を録画することを示している。また１が記載されているものは、番組を複数の時間帯に分割して録画することを示している。番組Ａは分割して録画される。すなわちＡ１、Ａ２、Ａ３の３つの部分に分割して録画される。そしてＡ１、Ａ２、Ａ３をあわせれば番組Ａ全部が録画されたことになる。すなわち、複数回放送される番組Ａは、受信・復調手段２が利用可能な時間帯に、分割して録画されることになる。つまり、記録判断部１０が番組Ｂ、Ｃ、Ｄなどの一回だけ放送される番組を録画する時間帯は、受信・復調手段２が利用可能な時間帯ではない。また、受信・復調手段２がスタンバイしている時間帯は、受信・復調手段２が利用可能な時間帯である。
【００３６】
このような録画スケジュール１３に従って、記録判断部１０は番組の録画を制御する。すなわち、記録判断部１０は、受信・復調手段２、デマルチプレクサ３、ＨＤＤ４を制御する。受信・復調手段２は、記録判断部１０の制御に従って、番組の記録開始時刻になるとトランスポンダを選択し、選択したトランスポンダから送られてくる放送波を受信し、復調する。次に、デマルチプレクサ３は、記録判断部１０の制御に従って、記録するチャンネルのデータを分離する。さらに、ＨＤＤ４は、記録判断部１０の制御に従って、デマルチプレクサ３で分離されたデータを記録する。そして記録終了時刻になると、記録判断部１０は、ＨＤＤ４にデータの記録を終了するよう命令を発する。ＨＤＤ４は、記録判断部１０の制御に従ってデータの記録を終了する。さらにＨＤＤ４はデータを記録する際に、記録する部分の番組開始時刻からのオフセット情報をも記録する。番組開始時刻からのオフセット情報とは、記録開始が番組開始時刻から１５分経過した部分であり、記録終了が番組開始時刻から４５分を経過した部分であるなどの情報である。この番組開始時刻からのオフセット情報は、分割して記録した番組を一つにマージする際に使用する。ＨＤＤ４のマージ処理については後述する。
【００３７】
記録判断部１０は上述した録画動作を制御し、ＨＤＤ４にどのようなデータが格納されているかを示す記録済み情報テーブル１１を作成し、更新していく。そして、記録済み情報テーブル１１は、ＧＵＩ／ＯＳＤ１２で表示され、ユーザは表示された記録済み情報テーブル１１を参照することにより、ＨＤＤ４にどのようなデータが記録されているかを知ることが出来る。図５、図６に記録済み情報テーブル１１の例を示す。図５の記録済み情報テーブル１４は、番組Ｂ、Ａ２、Ｃが記録され、番組Ａ３、Ａ１、Ｄがまだ記録されていない時の記録済みテーブルである。また図６の記録済み情報テーブル１５は、記録済み情報テーブル１４が示す時点から時間が経過し、番組Ａ３も記録され、記録されていない番組はＡ１、Ｄになった時の記録済み情報テーブルである。
【００３８】
記録済み情報テーブル１４、１５で、「開始時刻」は、記録を開始する番組の部分を番組開始時刻からのオフセットで示している。ただし単位は分である。また「終了時刻」は、記録を終了する番組の部分を番組開始時刻からのオフセットで示している。ただし単位は分である。例えば記録済み情報テーブル１４で、ファイルがＡ１である部分は、番組Ａの放送が開始されるとともに記録を開始し、番組開始から１５分経過した時点で記録を終了することを示している。また、「状態」は、ＨＤＤ４にデータが格納されているかどうかの区別を示している。「状態」が１になっているものは、ＨＤＤ４に番組の「開始時刻」から「終了時刻」までの部分のデータが記録されていることを示し、０になっているものは、まだＨＤＤ４にデータが記録されていないことを示す。また、「ファイル」はＨＤＤ４に記録される番組のデータのファイル名である。「ポインタ」は次の番組が何行目にあるか、すなわち一つの番組が何個に分割されて記録されるかを示す。記録済み情報テーブル１４で、Ａ１のポインタは３となっている。このことから番組Ａは３個に分割して記録されることを示す。またＢのポインタは１となっている。このことから番組Ｂは分割されずに記録されることを示す。
【００３９】
番組の連続した２つ以上の部分の「状態」が１になる、すなわち番組の連続した２つ以上の部分がＨＤＤ４に記録されると、記録判断部１０は、ＨＤＤ４に連続した２つ以上の部分を結合して一つのファイルにマージするよう指示を出す。この指示を受けてＨＤＤ４は、マージ処理を実行する。ＨＤＤ４は前述した番組開始時刻からのオフセット情報を参照して、マージ処理を実行する。そして、記録判断部１０は、記録済み情報テーブル１１を更新する。図５の記録済み情報テーブル１４は、更新されて、図６の記録済み情報テーブル１５になる。すなわち、Ａ２と連続するＡ３がＨＤＤ４に記録されると、Ａ２とＡ３を結合して再構成し、あらたにＡ２というファイルにする。従って、Ａ３が記録された後の記録済み情報テーブル１５では、番組Ａは二つに分割されている。このようにＨＤＤ４は、分割されて記録された番組を、連続した部分が記録されるとそれらを結合して再構成し、一つのファイルにまとめていく。ユーザは、分割して録画される番組が記録完了したことを、記録済み情報テーブルの「ポインタ」が１になり、「状態」も１になったことで知ることが出来る。
【００４０】
このようにして番組Ａ、Ｂ、Ｃ、Ｄを記録する。特に番組Ａは繰り返し放送される番組であり、繰り返し放送される番組は一回のみ放送される番組の記録の空き時間に複数回に分割されて記録される。このことによって、予約した番組の録画をより早く完了することが出来る。つまり従来の技術で説明した方法で記録すると、録画を開始してから終了するまでの時間が５時間４５分かかっていたのに対し、本実施の形態の方法によれば、４時間で完了することが出来る。
【００４１】
次に、ユーザがユーザ選局手段６を操作している場合の動作を説明する。
【００４２】
ユーザは番組を視聴したり、視聴している番組を記録したりするためにユーザ選局手段６を操作することがある。このような場合、記録装置１は以下のような動作をする。
【００４３】
まず、前述した番組Ａのように複数回放送される番組を記録すべき時間帯に、ユーザがユーザ選局手段６を操作して、すでにこの複数回放送される番組以外の番組を視聴している時の動作を説明する。この場合、記録すべき番組とユーザが視聴している番組とが同一トランスポンダに含まれていれば、記録判断部１０はＨＤＤ４に記録命令を出し、視聴と記録を並行して行う。また記録すべき番組とユーザが視聴している番組とが同一トランスポンダに含まれていなければ、記録判断部１０は、ＧＵＩ／ＯＳＤ１２に警告メッセージを表示し、ユーザが視聴している番組の視聴を優先する。すなわち、録画スケジュール手段９は、ユーザが番組を視聴しているのと重なった、複数回放送される番組を記録すべき時間帯を、無効な時間帯とし、録画スケジュールを作成し直す。従って複数回放送される番組の記録は延期される。
【００４４】
次に、一回のみ放送される番組を記録すべき時間帯に、ユーザがユーザ選局手段６を操作して、すでにこの一回のみ放送される番組以外の番組を視聴している時の動作を説明する。この場合、記録すべき番組とユーザが視聴している番組とが同一トランスポンダに含まれていれば、記録判断部１０はＨＤＤ４に記録命令を出し、視聴と記録を並行して行う。また記録すべき番組とユーザが視聴している番組とが同一トランスポンダに含まれていなければ、記録判断部１０は、ＧＵＩ／ＯＳＤ１２に警告メッセージを表示し、この一回のみ放送される番組の記録を優先する。すなわち、ユーザの視聴は中止される。
【００４５】
次に、録画スケジュールに基づき番組を記録している最中に、ユーザがユーザ選局手段６を操作し、記録している番組とは別の番組を視聴しようとした場合の動作を説明する。この場合、記録している番組とユーザが視聴しようとしている番組とが同一トランスポンダに含まれる番組であれば、記録判断部１０はＨＤＤ４の記録を継続する。すなわち視聴と記録を並行して行う。また、記録している番組と視聴しようとしている番組とが同一トランスポンダに含まれない番組であり、かつ記録している番組が一回のみ放送される番組であれば、記録判断部１０は、ＧＵＩ／ＯＳＤ１２に警告メッセージを表示し、記録している番組の記録を優先する。すなわち、ユーザが視聴しようとした番組を視聴することは出来ない。また、記録している番組と視聴しようとしている番組とが同一トランスポンダに含まれない番組であり、かつ記録している番組が複数回放送される番組であれば、記録判断部１０は、ＧＵＩ／ＯＳＤ１２に警告メッセージを表示し、視聴しようとしている番組の視聴を優先する。すなわち記録判断部１０は、記録していた番組の記録を中断する。そして、録画スケジュール手段９は、記録していた時間帯を録画できない時間帯とし、録画スケジュールを作成し直す。従って複数回放送される番組の記録は延期される。
【００４６】
次に、ユーザが、ユーザ選局手段６を操作し、チャンネルを選局し、番組をＨＤＤ４に記録している場合の動作について説明する。すなわち、記録している番組は予約入力手段７で予約されたのではなく、ユーザ選局６の操作によって記録されている場合である。この場合、一回のみ放送される番組の記録開始時刻になった場合、記録判断部１０は、ＧＵＩ／ＯＳＤ１２に警告メッセージを表示し、一回のみ放送される番組の記録を優先する。すなわち、現在記録中の番組の記録は中止される。また、複数回放送される番組の記録開始時刻になった場合、記録判断部１０は、ＧＵＩ／ＯＳＤ１２に警告メッセージを表示し、記録中の番組の記録を優先する。すなわち、記録判断部１０は、この複数回放送される番組の記録を延期し、録画スケジュール手段９は、この時間帯を記録出来ないものとし、録画スケジュールを作成し直す。また、現在記録中の番組とは別の番組の記録開始時刻になった場合、両番組が同一トランスポンダに含まれる番組であれば、両番組の記録を並行して行う。
【００４７】
以上のようにユーザ選局手段６を操作することによって、記録と視聴が重なってしまった場合も、記録判断部１０はいずれの番組を記録または視聴するかを判断することが出来る。また、録画スケジュール手段９は、記録が延期された場合は録画スケジュールを作成し直す。そして記録判断部１０は、作成し直された録画スケジュールに従って、受信・復調手段２、デマルチプレクサ３、ＨＤＤ４を制御する。
【００４８】
次に、複数回放送される番組が同一トランスポンダ内の複数のチャンネルで時間をずらして放送される場合の動作について説明する。この場合、これらの複数のチャンネルを同時に記録する。すなわち、図７に示すように、番組Ｅがチャンネル３、チャンネル４、チャンネル５で時間をずらして放送されているとする。このとき、チャンネル３、４、５を同時に記録１６で示された時間帯に番組Ｅを同時に記録する。そうすると、番組Ｅの記録を完了するまでに要する時間が３分の１に短縮される。
【００４９】
次に、ＨＤＤ４の記録容量が不足した場合の動作について説明する。
【００５０】
まず、ＨＤＤ４が複数回放送される番組を記録している最中に、ＨＤＤ４が記録する空きがなくなった場合の動作について説明する。この場合、記録判断部１０は、複数回放送される番組の記録を一旦中断する。そして、録画スケジュール手段９は、録画スケジュールを作成し直す。さらに記録判断部１０は、記録済み情報テーブル１１を更新する。そして、記録判断部１０は、ＨＤＤ４に記録のための空きがでたら、録画スケジュールに基づき、中断した記録を継続する。ＨＤＤ４に記録のための空きがでるまでは、以下の動作を繰り返して行う。すなわち、録画スケジュール手段９は、スケジュールを作成し直し、記録判断部１０は、作成し直したスケジュールに従って、番組をＨＤＤ４に記録するかしないかを判断する。そして記録出来ない場合は、再度、録画スケジュール手段９がスケジュールを作成し直す。
【００５１】
次に、ＨＤＤ４の記録容量が不足している時に、予約入力手段７で、番組が予約された場合の動作を説明する。この場合、一回のみ放送される番組が予約された場合は、予約入力手段７は、その予約を受け付けない。すなわち、ユーザに警告を発し、その予約を無効にする。ところが、複数回放送される番組が予約された場合、予約入力手段７は、ＨＤＤ４の記録容量が不足していても、その予約を受け付け、予約テーブル８に登録する。録画スケジュール手段９は、スケジュールを作成し、この録画スケジュールに従って、記録判断部１０は、ＨＤＤ４に記録容量の空きができたらこの番組をＨＤＤ４に記録するよう制御する。ＨＤＤ４に記録容量の空きがでるまでの動作は、上記で説明した、ＨＤＤ４が複数回放送される番組を記録している最中に、ＨＤＤ４が記録する空きがなくなった場合と同じである。
【００５２】
次に、ＨＤＤ４に複数回放送される番組が記録済みである場合に、一回のみ放送される番組の記録のための空き領域が不足した場合の動作を説明する。この場合、記録判断部１０は、ＨＤＤ４の複数回放送される番組が記録されている領域を空き領域とみなし、一回のみ放送される番組をその領域に記録する。そして、ＨＤＤ４から消去された複数回放送される番組は、予約テーブル８に再度登録され、録画スケジュール手段９によって録画スケジュールを作成する番組となる。ただし、この複数回放送される番組で、ＨＤＤ４から消去された部分のみ、再度記録するよう録画スケジュール手段９は、録画スケジュールを作成する。
【００５３】
このように、複数回放送される番組を分割記録することによって、録画をより早く完了することが出来る。さらに、分割記録することによってより使い勝手が向上する。
【００５４】
なお、本実施の形態では、複数回放送される番組が複数回に分けてＨＤＤ４に記録されたら、その各部分を結合して一つの番組として再構成するとして説明したがこれに限らない。再生時に、複数回に分割して記録されている番組の各部分を時系列に従って順次一つの番組として連続的に再生するようにすることも出来る。このとき、分割されている各部分の再生の順序は、上述した番組開始時刻からのオフセット情報を参照することにより決定することが出来る。また、番組開始時刻からのオフセット情報の代わりに、分割して記録されている部分が放送された時刻情報とＥＰＧ情報を用いても分割されている各部分の再生順序を決定することが出来る。また、番組開始時刻からのオフセット情報の代わりに、分割して記録されている部分を再生する順番を示す再生順序を用いても、分割されている各部分を時系列に従って再生することが出来る。要するに、一つの番組として再生するために必要な情報であればどんな情報を用いても構わない。
【００５５】
さらに、本実施の形態では、複数回放送される番組が分割してＨＤＤ４に記録されたとき、番組開始時刻からのオフセット情報も記録するとして説明したがこれに限らない。再生順序、時刻情報など、要するに再構成を行うために必要となる情報を記録しさえすればよい。ここで、再生順序とは、分割して記録された部分に付けられ、番組の時系列に従って再生する順番を示す番号である。また時刻情報は、分割して記録された各部分がＨＤＤ４に記録された時の時刻である。ＥＰＧ情報とこの時刻情報を用いれば、番組開始時刻からのオフセット情報を生成することが出来、従って、分割された各部分を結合して一つの番組として再構成することが出来る。
【００５６】
さらに、本実施の形態では、放送局から送られてくるＥＰＧ情報を利用して録画スケジュールを作成するとして説明するがこれに限らない。電話回線、インターネット、ＣＤ−ＲＯＭなどの記録媒体などの放送波以外からＥＰＧを取り込み録画スケジュールを作成するとしても構わない。
【００５７】
（第２の実施の形態）
次に第２の実施の形態について説明する。
【００５８】
本実施の形態では第１の実施の形態との相違点を中心に説明する。
【００５９】
図８に本実施の形態の記録装置１９のブロック図を示す。
【００６０】
録画スケジュール１７は、第１の実施の形態と同様に録画スケジュールを作成する手段である。ただし、第１の実施の形態とは異なり、複数回放送される番組に関しては、録画時刻を決めない。また、記録判断部１８は、第１の実施の形態と同様に録画スケジュール手段９で作成された録画スケジュールに従って、受信・復調手段２、デマルチプレクサ３、ＨＤＤ４を制御する手段である。ただし、第１の実施の形態とは異なり、複数回放送される番組に関しては、いつ記録し、いつ記録を中断または終了するかを決定しながら制御を行う。それ以外は第１の実施の形態と同様である。
【００６１】
次に、本実施の形態の動作を説明する。
【００６２】
予約入力手段７で、第１の実施の形態と同様にして、番組Ａ、Ｂ、Ｃ、Ｄが入力されたとする。そうすると、予約入力手段７は、第１の実施の形態と同じ予約テーブル（図２参照）を作成する。ＥＰＧ抽出手段５は、ＥＰＧ情報を抽出する。抽出されたＥＰＧ情報と予約テーブルを参照して、録画スケジュール手段９は、録画スケジュールを作成する。録画スケジュール手段９が作成した録画スケジュールは図９の録画スケジュール２０のようになる。
【００６３】
本実施の形態の録画スケジュール２０と第１の実施の形態の録画スケジュール３との相違点は、繰り返し放送される番組に関しては録画時刻が記載されていない点である。すなわち、録画スケジュール２０の番組Ａに関しては録画時刻が記載されていない。記録判断部１８は、このような録画スケジュール２０に従って、受信・復調手段２、デマルチプレクサ３、ＨＤＤ４を制御し、番組を記録する。そしてさらに、繰り返し放送される番組については、いつ記録開始し、いつ終了するかを決定しながら、制御を行う。このような記録判断部１８の動作を図１０、図１１のフローチャートを用いて説明する。
【００６４】
図１０は、記録判断部１８が一回のみ放送される番組を処理する場合のフローチャートである。また図１１は、記録判断部１８が複数回放送される番組を処理する場合のフローチャートである。図１０のフローチャートと図１１のフローチャートは並行して動作する。すなわち記録判断部１８は、マルチタスク処理を行うことが出来る。そして図１１のフローチャートは、後述する図１０のフローチャートのチャンネル使用宣言とチャンネル使用解放宣言を知ることが出来る。また、ユーザ選局手段６の操作によってもチャンネル使用宣言とチャンネル使用解放宣言が行われたことになる。図１１のフローチャートは、チャンネルが使用されている状態か解放されている状態かを知り、チャンネルが使用されているか解放されているかを考慮して動作する。このことは、記録判断部１８に共有メモリを設け、この共有メモリにチャンネル使用宣言がなされているかどうかを識別するフラグを格納することによって容易に実現することが出来る。
【００６５】
記録判断部１８は、録画スケジュール２０を参照することにより、一回のみ放送される予約済み番組のチャンネルと放送開始時刻と終了時刻を知ることが出来、また、複数回放送される予約済み番組を知り、その番組のチャンネルを知ることが出来る。
【００６６】
まず、一回のみ放送される番組の放送開始時刻になったとする（Ｓ１）。例えば、録画スケジュール２０に示したように番組Ｂが放送開始される７時００分になったとする。そうすると、Ｓ２において、記録判断部１８は、チャンネルを使用する宣言を行う。そして、番組が放送されるチャンネルに変更する。すなわち、受信・復調手段２が番組が放送されるチャンネルを含むトランスポンダからの放送波を受信するように制御する。さらに、デマルチプレクサ３が番組の放送されるチャンネルを分離するよう制御する。そして、記録判断部１８は、ＨＤＤ４に記録命令を送り、これを受けてＨＤＤ４は番組の記録を開始する。
【００６７】
次に、一回のみ放送される番組の放送終了時刻になったとする（Ｓ３）。例えば、録画スケジュール２０に示したように番組Ｂの放送が終了する８時００分になったとする。そうすると、Ｓ４において、記録判断部１８は、チャンネル使用宣言を解放する。そして、ＨＤＤ４に記録を停止する命令を発し、これを受けてＨＤＤ４は、記録を停止する。そして、記録済み情報テーブルを更新する。
【００６８】
繰り返し放送される番組については、記録判断部１８は、図１１のフローチャートのような動作を行う。
【００６９】
すなわち記録判断部１８は、Ｓ６において、チャンネルが解放されているかどうかを調べる。すなわち、図１０のＳ２においてチャンネル使用宣言が行われた後は、チャンネルが使用されていることになる。また、図１０のＳ４において  チャンネル使用宣言が解放された後は、チャンネルが解放されていることになる。また、ユーザ選局をユーザが操作した場合もチャンネル使用宣言が行われたことになる。チャンネルが解放されていない時は、再度Ｓ６でチャンネルが解放されているかどうかの判断を行う。すなわち、チャンネルが解放されるまで、処理を進めない。チャンネルが解放されている時は、Ｓ７に進む。
【００７０】
Ｓ７において、繰り返し放送される番組でまだ記録していない部分が放送中かどうかを判断する。まだ記録していない部分が放送中でない時は、Ｓ６に進む。まだ記録していない部分が放送中の場合は、Ｓ８に進む。
【００７１】
Ｓ８において、記録する番組が放送されているトランスポンダからの放送波を受信するよう受信・復調２を制御する。さらに、記録する番組のチャンネルに変更するようデマルチプレクサ３を制御する。最後に、ＨＤＤ４に記録命令を発し、これを受けてＨＤＤ４は番組の記録を開始する。以上の処理を行ったら、Ｓ９に進む。
【００７２】
Ｓ９において、チャンネルが解放されているかどうかを調べる。Ｓ２でチャンネル使用宣言が行われると、チャンネルは使用され、従って解放されていないことになる。またユーザがユーザ選局手段６を操作して番組を視聴したりあるいは記録したりすると、チャンネルは使用され、従って解放されていないことになる。繰り返し放送される番組を記録判断部１８の制御に従ってＨＤＤ４が記録している時は、チャンネルは解放されたままである。チャンネルが解放されていない時は、Ｓ１２に進む。また、チャンネルが解放されている時は、Ｓ１０に進む。
【００７３】
Ｓ１０において、繰り返し放送される番組の記録がすべて完了したかどうかを判断する。番組の記録が全て完了した時はＳ１２に進む。番組の記録が完了していない時はＳ１１に進む。
【００７４】
Ｓ１１において、繰り返し放送される番組の記録が、すでに記録されている部分と重なったかどうかを判断する。番組の記録が、すでに記録されている部分と重なった時は、Ｓ１２に進む。そうでない時は、Ｓ９に進む。
【００７５】
Ｓ１２において、繰り返し放送される番組の記録の開始点と終了点を記録済み情報テーブルに書き込む。同時に、ＨＤＤ４は、記録判断部１０の制御に従って、記録の開始点と終了点を記録する。記録の開始点と終了点とは、第１の実施の形態で説明した記録する部分の番組開始時刻からのオフセット情報である。すなわち、記録開始が番組開始時刻から１５分経過した部分であり、記録終了が番組開始時刻から４５分を経過した部分であるなどの情報である。そして、記録を停止し、Ｓ６に進む。
【００７６】
このように、記録判断部１８は、受信・復調手段２が利用可能な時間帯に繰り返し放送される番組の記録を行う。すなわち、受信・復調手段２がスタンバイしている時間帯に繰り返し放送される番組の記録を行い、また、一回のみ放送される番組を記録判断部１８が記録している時間帯には複数回放送される番組の記録を行わない。
【００７７】
以上のようにして繰り返し放送される番組は、第１の実施の形態とは異なり、録画スケジュールを利用しないで、記録される。それ以外は第１の実施の形態と同一である。
【００７８】
なお、本実施の形態の受信・復調手段２は本発明の受信手段の例であり、本実施の形態の予約入力手段７と予約テーブル８は本発明の予約手段の例であり、本実施の形態の録画スケジュール手段９は本発明の判定手段の例であり、本実施の形態の録画スケジュール手段９は本発明の検出手段の例も兼ねている。また本実施の形態の記録判断部１０とＨＤＤ４は本発明の記録手段の例である。また、本実施の形態の録画スケジュール手段１７は本発明の判定手段の例であり、本実施の形態の録画スケジュール手段１７と記録判断部１８は本発明の検出手段の例であり、本実施の形態の記録判断部１８とＨＤＤ４は本発明の記録手段の例である。
【００７９】
さらに、本発明の記録方法、再生方法、記録装置または再生装置を構成する、各ステップまたは各手段の全部または一部の機能をハードウェア的に実現しても構わないし、コンピュータのプログラムによりソフトウェア的に実現しても構わない。
【００８０】
さらに、本発明の記録方法、再生方法、記録装置または再生装置を構成する、各ステップまたは各手段の全部または一部の機能をコンピュータで実行させるためのプログラムを格納していることを特徴とするプログラム記録媒体も本発明に属する。
【００８１】
【発明の効果】
以上説明したところから明らかなように、本発明は、放送される番組を記録する際、より早く記録を完了することが出来る記録装置、再生装置を提供することが出来る。
【００８２】
また、本発明は、繰り返し放送される番組を別々の時間帯に分割して記録しても番組全部が記録出来る記録装置、再生装置を提供することが出来る。
【００８３】
また、本発明は、記録装置の記録媒体の空き領域が少ない場合でも、記録済みの番組のデータを失うことなく、別の番組を記録出来る記録装置、再生装置を提供することが出来る。
【図面の簡単な説明】
【図１】本発明の第１の実施の形態における記録装置の構成を示すブロック図
【図２】本発明の第１の実施の形態における予約テーブルの例を示す図
【図３】本発明の第１の実施の形態における録画スケジュールの例を示す図
【図４】本発明の第１の実施の形態における予約した番組を記録する順序を説明する図
【図５】本発明の第１の実施の形態における記録済み情報テーブルの例を示す図
【図６】本発明の第１の実施の形態における記録済み情報テーブルのもう一つの例を示す図
【図７】本発明の第１の実施の形態における同一トランスポンダの複数チャンネルで時間をずらして繰り返し放送される番組を記録する方法を説明する図
【図８】本発明の第２の実施の形態における記録装置の構成を示すブロック図
【図９】本発明の第２の実施の形態における録画スケジュールの例を示す図
【図１０】本発明の第２の実施の形態における一回のみ放送される番組を記録する場合の記録判断部の動作を説明するフローチャート図
【図１１】本発明の第２の実施の形態における複数回放送される番組を記録する記録判断部の動作を説明するフローチャート図
【図１２】従来の記録装置が予約した番組を記録する方法を説明する図
【符号の説明】
１  記録装置
２  受信・復調
３  デマルチプレクサ
４  ＨＤＤ
５  ＥＰＧ抽出手段
６  ユーザ選局手段
７  予約入力手段
８  予約テーブル
９  録画スケジュール手段
１０  記録判断部
１１  記録済み情報テーブル
１２  ＧＵＩ／ＯＳＤ
１３  録画スケジュール
１４  記録済み情報テーブル
１５  記録済み情報テーブル
１７  録画スケジュール手段
１８  記録判断部
１９  記録装置
【図１】
0003642986.tif 000002
【図２】
0003642986.tif 000003
【図３】
0003642986.tif 000004
【図４】
0003642986.tif 000005
【図５】
0003642986.tif 000006
【図６】
0003642986.tif 000007
【図７】
0003642986.tif 000008
【図８】
0003642986.tif 000009
【図９】
0003642986.tif 000010
【図１０】
0003642986.tif 000011
【図１１】
0003642986.tif 000012
【図１２】
0003642986.tif 000013